【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
ピクチャが複数のブロックに段階的に分割されたブロックから予測ブロックを特定し、その特定された予測ブロック単位で、符号化ストリームを生成する動画像符号化装置であって、
符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築部と、
前記導出された動き情報を組み合わせることで新たな動き情報候補を生成し、生成された前記動き情報候補を前記動き情報候補リストに追加する候補リスト追加部と、
前記符号化対象となる前記予測ブロックに用いる前記動き情報候補リスト内の動き情報候補を指定するインデックス情報を符号化する符号化部と、
前記動き情報候補を変換する動き情報変換部と、
前記動き情報候補に基づいて、単予測又は双予測の何れかにより動き補償予測を行い前記符号化対象となる予測ブロックの予測信号を生成する動き補償予測部とを備え、
前記動き情報変換部は、前記動き情報候補のうち、前記双予測を示す予測種別情報を、前記候補リスト追加部が前記動き情報候補リストに動き情報候補を追加した後に、前記単予測を示す予測種別情報に変換する予測変換を行い、
前記動き補償予測部は、前記符号化対象となる予測ブロックのブロックサイズが所定の第１サイズの場合であり、かつ予測種別情報が前記双予測を示す場合に、前記予測変換により変換された動き情報に基づいて前記動き補償予測を行うことを特徴とする動画像符号化装置。
【請求項２】
ピクチャが複数のブロックに段階的に分割されたブロックから予測ブロックを特定し、その特定された予測ブロック単位で、符号化ストリームを生成する動画像符号化方法であって、
符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、
前記導出された動き情報を組み合わせることで新たな動き情報候補を生成し、生成された前記動き情報候補を前記動き情報候補リストに追加する候補リスト追加ステップと、
前記符号化対象となる前記予測ブロックに用いる前記動き情報候補リスト内の動き情報候補を指定するインデックス情報を符号化する符号化ステップと、
前記動き情報候補を変換する動き情報変換ステップと、
前記動き情報候補に基づいて、単予測又は双予測の何れかにより動き補償予測を行い前記符号化対象となる予測ブロックの予測信号を生成する動き補償予測ステップとを備え、
前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、
前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行うことを特徴とする動画像符号化方法。
【請求項３】
ピクチャが複数のブロックに段階的に分割されたブロックから予測ブロックを特定し、その特定された予測ブロック単位で、符号化ストリームを生成する動画像符号化プログラムであって、
符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、
前記導出された動き情報を組み合わせることで新たな動き情報候補を生成し、生成された前記動き情報候補を前記動き情報候補リストに追加する候補リスト追加ステップと、
前記符号化対象となる前記予測ブロックに用いる前記動き情報候補リスト内の動き情報候補を指定するインデックス情報を符号化する符号化ステップと、
前記動き情報候補を変換する動き情報変換ステップと、
前記動き情報候補に基づいて、単予測又は双予測の何れかにより動き補償予測を行い前記符号化対象となる予測ブロックの予測信号を生成する動き補償予測ステップとをコンピュータに実行させ、
前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、
前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行うことを特徴とする動画像符号化プログラム。
【請求項４】
ピクチャが複数のブロックに段階的に分割されたブロックから予測ブロックを特定し、その特定された予測ブロック単位で、符号化ストリームを生成する動画像符号化方法により符号化された前記符号化ストリームをパケット化して符号化データを得るパケット処理部と、
パケット化された前記符号化データを送信する送信部とを備え、
前記動画像符号化方法は、
符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、
前記導出された動き情報を組み合わせることで新たな動き情報候補を生成し、生成された前記動き情報候補を前記動き情報候補リストに追加する候補リスト追加ステップと、
前記符号化対象となる前記予測ブロックに用いる前記動き情報候補リスト内の動き情報候補を指定するインデックス情報を符号化する符号化ステップと、
前記動き情報候補を変換する動き情報変換ステップと、
前記動き情報候補に基づいて、単予測又は双予測の何れかにより動き補償予測を行い前記符号化対象となる予測ブロックの予測信号を生成する動き補償予測ステップとを備え、
前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、
前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行うことを特徴とする送信装置。
【請求項５】
ピクチャが複数のブロックに段階的に分割されたブロックから予測ブロックを特定し、その特定された予測ブロック単位で、符号化ストリームを生成する動画像符号化方法により符号化された前記符号化ストリームをパケット化して符号化データを得るパケット処理ステップと、
パケット化された前記符号化データを送信する送信ステップとを備え、
前記動画像符号化方法は、
符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、
前記導出された動き情報を組み合わせることで新たな動き情報候補を生成し、生成された前記動き情報候補を前記動き情報候補リストに追加する候補リスト追加ステップと、
前記符号化対象となる前記予測ブロックに用いる前記動き情報候補リスト内の動き情報候補を指定するインデックス情報を符号化する符号化ステップと、
前記動き情報候補を変換する動き情報変換ステップと、
前記動き情報候補に基づいて、単予測又は双予測の何れかにより動き補償予測を行い前記符号化対象となる予測ブロックの予測信号を生成する動き補償予測ステップとを備え、
前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、
前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行うことを特徴とする送信方法。
【請求項６】
ピクチャが複数のブロックに段階的に分割されたブロックから予測ブロックを特定し、その特定された予測ブロック単位で、符号化ストリームを生成する動画像符号化方法により符号化された前記符号化ストリームをパケット化して符号化データを得るパケット処理ステップと、
パケット化された前記符号化データを送信する送信ステップとをコンピュータに実行させ、
前記動画像符号化方法は、
符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、
前記導出された動き情報を組み合わせることで新たな動き情報候補を生成し、生成された前記動き情報候補を前記動き情報候補リストに追加する候補リスト追加ステップと、
前記符号化対象となる前記予測ブロックに用いる前記動き情報候補リスト内の動き情報候補を指定するインデックス情報を符号化する符号化ステップと、
前記動き情報候補を変換する動き情報変換ステップと、
前記動き情報候補に基づいて、単予測又は双予測の何れかにより動き補償予測を行い前記符号化対象となる予測ブロックの予測信号を生成する動き補償予測ステップとを備え、
前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、
前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行うことを特徴とする送信プログラム。
【手続補正２】
【補正対象書類名】明細書
【補正対象項目名】００１４
【補正方法】変更
【補正の内容】
【００１４】
上記課題を解決するために、本発明のある態様の動画像符号化装置は、ピクチャが複数のブロックに段階的に分割されたブロックから予測ブロックを特定し、その特定された予測ブロック単位で、符号化ストリームを生成する動画像符号化装置であって、符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築部（１５０６）と、前記導出された動き情報を組み合わせることで新たな動き情報候補を生成し、生成された前記動き情報候補を前記動き情報候補リストに追加する候補リスト追加部と、前記符号化対象となる前記予測ブロックに用いる前記動き情報候補リスト内の動き情報候補を指定するインデックス情報を符号化する符号化部（１１８）と、前記動き情報候補を変換する動き情報変換部（１５０７）と、前記動き情報候補に基づいて、単予測又は双予測の何れかにより動き補償予測を行い前記符号化対象となる予測ブロックの予測信号を生成する動き補償予測部（１１２）とを備える。前記動き情報変換部（１５０７）は、前記動き情報候補のうち、前記双予測を示す予測種別情報を、前記候補リスト追加部が前記動き情報候補リストに動き情報候補を追加した後に、前記単予測を示す予測種別情報に変換する予測変換を行い、前記動き補償予測部（１１２）は、前記符号化対象となる予測ブロックのブロックサイズが所定の第１サイズの場合であり、かつ予測種別情報が前記双予測を示す場合に、前記予測変換により変換された動き情報に基づいて前記動き補償予測を行う。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明のさらに別の態様は、動画像符号化方法である。この方法は、ピクチャが複数のブロックに段階的に分割されたブロックから予測ブロックを特定し、その特定された予測ブロック単位で、符号化ストリームを生成する動画像符号化方法であって、符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、前記導出された動き情報を組み合わせることで新たな動き情報候補を生成し、生成された前記動き情報候補を前記動き情報候補リストに追加する候補リスト追加ステップと、前記符号化対象となる前記予測ブロックに用いる前記動き情報候補リスト内の動き情報候補を指定するインデックス情報を符号化する符号化ステップと、前記動き情報候補を変換する動き情報変換ステップと、前記動き情報候補に基づいて、単予測又は双予測の何れかにより動き補償予測を行い前記符号化対象となる予測ブロックの予測信号を生成する動き補償予測ステップとを備える。前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行う。
【手続補正５】
【補正対象書類名】明細書
【補正対象項目名】００１７
【補正方法】変更
【補正の内容】
【００１７】
本発明のさらに別の態様は、送信装置である。この装置は、ピクチャが複数のブロックに段階的に分割されたブロックから予測ブロックを特定し、その特定された予測ブロック単位で、符号化ストリームを生成する動画像符号化方法により符号化された前記符号化ストリームをパケット化して符号化データを得るパケット処理部と、パケット化された前記符号化データを送信する送信部とを備える。前記動画像符号化方法は、符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、前記導出された動き情報を組み合わせることで新たな動き情報候補を生成し、生成された前記動き情報候補を前記動き情報候補リストに追加する候補リスト追加ステップと、前記符号化対象となる前記予測ブロックに用いる前記動き情報候補リスト内の動き情報候補を指定するインデックス情報を符号化する符号化ステップと、前記動き情報候補を変換する動き情報変換ステップと、前記動き情報候補に基づいて、単予測又は双予測の何れかにより動き補償予測を行い前記符号化対象となる予測ブロックの予測信号を生成する動き補償予測ステップとを備える。前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行う。
【手続補正６】
【補正対象書類名】明細書
【補正対象項目名】００１８
【補正方法】変更
【補正の内容】
【００１８】
本発明のさらに別の態様は、送信方法である。この方法は、ピクチャが複数のブロックに段階的に分割されたブロックから予測ブロックを特定し、その特定された予測ブロック単位で、符号化ストリームを生成する動画像符号化方法により符号化された前記符号化ストリームをパケット化して符号化データを得るパケット処理ステップと、パケット化された前記符号化データを送信する送信ステップとを備える。前記動画像符号化方法は、符号化対象となる予測ブロックに空間的に近接するブロック及び時間的に近接するブロックの少なくとも何れかから動き情報を導出し、前記符号化対象となる予測ブロックの動き情報候補として、その導出された動き情報の中から所定の動き情報を登録して動き情報候補リストを構築する候補リスト構築ステップと、前記導出された動き情報を組み合わせることで新たな動き情報候補を生成し、生成された前記動き情報候補を前記動き情報候補リストに追加する候補リスト追加ステップと、前記符号化対象となる前記予測ブロックに用いる前記動き情報候補リスト内の動き情報候補を指定するインデックス情報を符号化する符号化ステップと、前記動き情報候補を変換する動き情報変換ステップと、前記動き情報候補に基づいて、単予測又は双予測の何れかにより動き補償予測を行い前記符号化対象となる予測ブロックの予測信号を生成する動き補償予測ステップとを備える。前記動き情報変換ステップは、前記動き情報候補のうち、前記双予測を示す予測種別情報を、前記候補リスト追加ステップが前記動き情報候補リストに動き情報候補を追加した後に、前記単予測を示す予測種別情報に変換する予測変換を行い、前記動き補償予測ステップは、前記符号化対象となる予測ブロックのブロックサイズが所定の第１サイズの場合であり、かつ予測種別情報が前記双予測を示す場合に、前記予測変換により変換された動き情報に基づいて前記動き補償予測を行う。